【手続補正書】
【提出日】平成21年3月23日(2009.3.23)
【手続補正１】
【補正対象書類名】特許請求の範囲
【補正対象項目名】全文
【補正方法】変更
【補正の内容】
【特許請求の範囲】
【請求項１】
被写体を撮像し、第１のデジタル画像データを生成する撮像手段と、
前記撮像手段から得られた前記第１のデジタル画像データを記憶する記憶手段と、
前記記憶手段に記憶された前記第１のデジタル画像データを第２のデジタル画像データに変換する処理を行う変換処理手段と、
動画記録の指示を受け付ける第１の受付手段と、
静止画記録の指示を受け付ける第２の受付手段とを備え、
前記第１の受付手段により前記動画像記録の指示を受け付けて、前記撮像手段による前記第１のデジタル画像データの生成、前記記憶手段への記憶及び前記変換処理手段による動画像用の第１のパラメータを用いた第１の変換処理の少なくともいずれかを行っている場合に、前記第２の受付手段により前記静止画記録の指示を更に受け付けた場合、前記変換処理手段は、前記第１のパラメータとは異なる静止画用の第２のパラメータを用いた第２の変換処理を更に行うことを特徴とする撮像装置。
【請求項２】
前記記憶手段は、前記第１のデジタル画像データを記憶する少なくとも２つの領域を備え、
前記変換処理手段により、前記第２の変換処理が更に行われる場合、前記第１及び第２の変換処理が終了するまで、前記少なくとも２つの領域のうち、前記第１及び第２の変換処理に係る前記第１のデジタル画像データが記憶された領域とは異なる領域に、前記撮像手段から更に得られた前記第１のデジタル画像データが記憶されることを特徴とする請求項１に記載の撮像装置。
【請求項３】
前記第２の変換処理は、前記第１の変換処理が行われていないタイミングにおいて実行されることを特徴とする請求項１又は２に記載の撮像装置。
【請求項４】
前記変換処理には、ホワイトバランス処理、デジタルゲイン変換処理、シャープネス処理及びコントラスト処理の少なくともいずれかが含まれることを特徴とする請求項１乃至３のいずれか１項に記載の撮像装置。
【請求項５】
前記変換処理は、第１の色空間を有する第１のデジタル画像データを第２の色空間を有する第２のデジタル画像データに変換する処理を含むことを特徴とする請求項１乃至４のいずれか１項に記載の撮像装置。
【請求項６】
被写体を撮像し、ＲＡＷデータを生成する撮像手段と、
前記撮像手段から得られた前記ＲＡＷデータを記憶する記憶手段と、
前記記憶手段に記憶された前記ＲＡＷデータを動画像又は静止画像へと現像処理する現像処理手段と、
動画記録の指示を受け付ける第１の受付手段と、
静止画記録の指示を受け付ける第２の受付手段とを備え、
前記第１の受付手段により前記動画像記録の指示を受け付けて、前記撮像手段による前記ＲＡＷデータの生成、前記記憶手段への記憶及び前記変換処理手段による動画像用の第１のパラメータを用いた第１の現像処理の少なくともいずれかを行っている場合に、前記第２の受付手段により前記静止画記録の指示を更に受け付けた場合、前記変換処理手段は、前記第１のパラメータとは異なる静止画用の第２のパラメータを用いた第２の現像処理を更に行うことを特徴とする撮像装置。
【請求項７】
前記記憶手段は、前記ＲＡＷデータを記憶する少なくとも２つの領域を備え、
前記現像処理手段により、前記第２の現像処理が更に行われる場合、前記第１及び第２の現像処理が終了するまで、前記少なくとも２つの領域のうち、前記第１及び第２の現像処理に係る前記ＲＡＷデータが記憶された領域とは異なる領域に、前記撮像手段から更に得られた前記ＲＡＷデータが記憶されることを特徴とする請求項６に記載の撮像装置。
【請求項８】
動画記録の指示を受け付ける第１の受付工程と、
撮像部により被写体を撮像し、第１のデジタル画像データを生成する撮像工程と、
前記撮像工程において得られた前記第１のデジタル画像データを、記憶部に記憶する記憶工程と、
前記記憶部に記憶された前記第１のデジタル画像データを第２のデジタル画像データに変換する処理を行う変換処理工程と、
前記第１の受付工程において前記動画像記録の指示を受け付け、前記撮像工程における前記第１のデジタル画像データの生成、前記記憶工程における記憶及び前記変換処理工程における動画像用の第１のパラメータを用いた第１の変換処理の少なくともいずれかが行われている場合に、前記静止画記録の指示を受け付ける第２の受付工程とを備え、
前記静止画記録の指示を受け付けた場合、前記変換処理工程では、前記第１のパラメータとは異なる静止画用の第２のパラメータを用いた第２の変換処理が更に行われることを特徴とする撮像装置の制御方法。
【請求項９】
前記記憶部は、前記第１のデジタル画像データを記憶する少なくとも２つの領域を備え、
前記変換処理工程において、前記第２の変換処理が更に行われる場合、前記記憶工程では、前記第１及び第２の変換処理が終了するまで、前記少なくとも２つの領域のうち、前記第１及び第２の変換処理に係る前記第１のデジタル画像データが記憶された領域とは異なる領域に、前記撮像部から更に得られた前記第１のデジタル画像データが記憶されることを特徴とする請求項８に記載の撮像装置の制御方法。
【請求項１０】
前記第２の変換処理は、前記第１の変換処理が行われていないタイミングにおいて実行されることを特徴とする請求項８又は９に記載の撮像装置の制御方法。
【請求項１１】
前記変換処理には、ホワイトバランス処理、デジタルゲイン変換処理、シャープネス処理及びコントラスト処理の少なくともいずれかが含まれることを特徴とする請求項８乃至１０のいずれか１項に記載の撮像装置の制御方法。
【請求項１２】
前記変換処理は、第１の色空間を有する第１のデジタル画像データを第２の色空間を有する第２のデジタル画像データに変換する処理を含むことを特徴とする請求項８乃至１１のいずれか１項に記載の撮像装置の制御方法。
【請求項１３】
動画記録の指示を受け付ける第１の受付工程と、
撮像部により被写体を撮像し、ＲＡＷデータを生成する撮像工程と、
前記撮像工程において得られた前記ＲＡＷデータを、記憶部に記憶する記憶工程と、
前記記憶部に記憶された前記ＲＡＷデータを動画像又は静止画像へと現像処理する現像処理工程と、
前記第１の受付工程において前記動画像記録の指示を受け付け、前記撮像工程における前記ＲＡＷデータの生成、前記記憶工程における記憶及び前記現像処理工程における動画像用の第１のパラメータを用いた第１の現像処理の少なくともいずれかが行われている場合に、前記静止画記録の指示を受け付ける第２の受付工程とを備え、
前記静止画記録の指示を受け付けた場合、前記現像処理工程では、前記第１のパラメータとは異なる静止画用の第２のパラメータを用いた第２の現像処理が更に行われることを特徴とする撮像装置の制御方法。
【請求項１４】
前記記憶部は、前記第１のデジタル画像データを記憶する少なくとも２つの領域を備え、
前記現像処理工程において、前記第２の現像処理が更に行われる場合、前記記憶工程では、前記第１及び第２の現像処理が終了するまで、前記少なくとも２つの領域のうち、前記第１及び第２の現像処理に係る前記ＲＡＷデータが記憶された領域とは異なる領域に、前記撮像部から更に得られた前記ＲＡＷデータが記憶されることを特徴とする請求項１３に記載の撮像装置の制御方法。
【請求項１５】
請求項８乃至１４のいずれか１項に記載の撮像装置の制御方法をコンピュータに実行させるためのコンピュータプログラム。
【請求項１６】
請求項１５に記載のコンピュータプログラムを記憶したコンピュータで読み取り可能な記憶媒体。
【手続補正２】
【補正対象書類名】明細書
【補正対象項目名】０００８
【補正方法】変更
【補正の内容】
【０００８】
以上の課題を解決するための本発明は、撮像装置であって、被写体を撮像し、第１のデジタル画像データを生成する撮像手段と、前記撮像手段から得られた前記第１のデジタル画像データを記憶する記憶手段と、前記記憶手段に記憶された前記第１のデジタル画像データを第２のデジタル画像データに変換する処理を行う変換処理手段と、動画記録の指示を受け付ける第１の受付手段と、静止画記録の指示を受け付ける第２の受付手段とを備え、前記第１の受付手段により前記動画像記録の指示を受け付けて、前記撮像手段による前記第１のデジタル画像データの生成、前記記憶手段への記憶及び前記変換処理手段による動画像用の第１のパラメータを用いた第１の変換処理の少なくともいずれかを行っている場合に、前記第２の受付手段により前記静止画記録の指示を更に受け付けた場合、前記変換処理手段は、前記第１のパラメータとは異なる静止画用の第２のパラメータを用いた第２の変換処理を更に行う。
【手続補正３】
【補正対象書類名】明細書
【補正対象項目名】０００９
【補正方法】変更
【補正の内容】
【０００９】
以上の課題を解決するための本発明はまた、撮像装置であって、被写体を撮像し、ＲＡＷデータを生成する撮像手段と、前記撮像手段から得られた前記ＲＡＷデータを記憶する記憶手段と、前記記憶手段に記憶された前記ＲＡＷデータを動画像又は静止画像へと現像処理する現像処理手段と、動画記録の指示を受け付ける第１の受付手段と、静止画記録の指示を受け付ける第２の受付手段とを備え、前記第１の受付手段により前記動画像記録の指示を受け付けて、前記撮像手段による前記ＲＡＷデータの生成、前記記憶手段への記憶及び前記変換処理手段による動画像用の第１のパラメータを用いた第１の現像処理の少なくともいずれかを行っている場合に、前記第２の受付手段により前記静止画記録の指示を更に受け付けた場合、前記変換処理手段は、前記第１のパラメータとは異なる静止画用の第２のパラメータを用いた第２の現像処理を更に行う。
【手続補正４】
【補正対象書類名】明細書
【補正対象項目名】００１０
【補正方法】削除
【補正の内容】